(57)【要約】  本発明は、陽性ラテックスであって、油相と、水相と、少なくとも１つの油中水型乳化系と、１００ｍｏｌ％に対して、ａ）４０％超かつ９９％以下のモル比の、少なくとも１つのカチオン性モノマーに由来するモノマー単位、ｂ）１％以上かつ６０％未満のモル比の、Ｎ−（２−ヒドロキシエチル）アクリルアミドに由来するモノマー単位、ｃ）任意で、０％超かつ３０％未満のモル比の、上記Ｎ−（２−ヒドロキシエチル）アクリルアミドとは異なる少なくとも１つの中性モノマーに由来するモノマー単位（なお、このモル比は、Ｎ−（２−ヒドロキシエチル）アクリルアミドに由来するモノマー単位のモル比より真に小さい）、及び、ｄ）任意で、０％超かつ１％以下のモル比の、ジエチレン系又はポリエチレン系架橋モノマーの重合によって得られる線状、分岐又は架橋カチオン性高分子電解質と、を含む、陽性ラテックスに関する。本発明は、化粧品組成物又は医薬品組成物用の増粘剤として上記陽性ラテックスを調製及び使用する方法にも関する。【選択図】なし【特許請求の範囲】
【請求項１】
逆ラテックスであって、油相と、水相と、少なくとも１つの油中水型乳化系と、１００ｍｏｌ％に対して、
ａ）４０％超かつ９９％以下のモル比の、少なくとも１つのカチオン性モノマーに由来するモノマー単位、
ｂ）１％以上かつ６０％未満のモル比の、Ｎ−（２−ヒドロキシエチル）アクリルアミドに由来するモノマー単位、及び、
ｃ）任意で、０％超かつ３０％未満のモル比の、前記Ｎ−（２−ヒドロキシエチル）アクリルアミドとは異なる少なくとも１つの中性モノマーに由来するモノマー単位（なお、このモル比は、Ｎ−（２−ヒドロキシエチル）アクリルアミドに由来するモノマー単位のモル比より真に小さい）、及び、
ｄ）任意で、０％超かつ１％以下のモル比の、ジエチレン系又はポリエチレン系架橋モノマー、
の重合によって得られる線状、分岐又は架橋カチオン性高分子電解質とを含む、逆ラテックス。
【請求項２】
前記カチオン性高分子電解質の構成要素である、前記少なくとも１つのカチオン性モノマーに由来するモノマー単位が、以下の第四級アンモニウム塩：
Ｎ，Ｎ，Ｎ−トリメチル−３−［（２−メチル−１−オキソ−２−プロペニル）−アミノ］プロパンアンモニウム塩、
Ｎ，Ｎ，Ｎ−トリメチル−３−［（１−オキソ−２−プロペニル）アミノ］−プロパンアンモニウム塩、又は、
ジアリルジメチルアンモニウム塩、
に由来する、請求項１に記載の逆ラテックス。
【請求項３】
前記カチオン性モノマー（複数の場合もあり）に由来するモノマー単位のモル比が５０％以上かつ９５％以下である、請求項１又は２に記載の逆ラテックス。
【請求項４】
前記カチオン性高分子電解質の構成要素である、前記少なくとも１つのカチオン性モノマーに由来するモノマー単位が、Ｎ，Ｎ，Ｎ−トリメチル−３−［（１−オキソ−２−プロペニル）アミノ］プロパンアンモニウム塩、特にＮ，Ｎ，Ｎ−トリメチル−３−［（１−オキソ−２−プロペニル）アミノ］プロパンアンモニウムクロリドのみに由来する、請求項２又は３に記載の逆ラテックス。
【請求項５】
前記Ｎ−（２−ヒドロキシエチル）アクリルアミドに由来するモノマー単位のモル比が５％以上かつ５０％以下である、請求項１〜４のいずれか一項に記載の逆ラテックス。
【請求項６】
前記線状、分岐又は架橋カチオン性高分子電解質が、１００ｍｏｌ％に対して、
ａ）６０％以上かつ９０％以下のモル比の、少なくとも１つのカチオン性モノマーに由来するモノマー単位、
ｂ）１０％以上かつ４０％以下のモル比の、Ｎ−（２−ヒドロキシエチル）アクリルアミドに由来するモノマー単位、
ｃ）任意で、０％超かつ２０％以下のモル比の、前記Ｎ−（２−ヒドロキシエチル）アクリルアミドとは異なる少なくとも１つの中性モノマーに由来するモノマー単位（なお、このモル比は、Ｎ−（２−ヒドロキシエチル）アクリルアミドに由来するモノマー単位のモル比より真に小さい）、及び、
ｄ）任意で、０．００５％以上かつ１％以下のモル比の、ジエチレン系又はポリエチレン系架橋モノマー、
の重合によって得られる、請求項１〜５のいずれか一項に記載の逆ラテックス。
【請求項７】
前記カチオン性高分子電解質が架橋されている、請求項１〜６のいずれか一項に記載の逆ラテックス。
【請求項８】
前記ジエチレン系又はポリエチレン系又は高分子電解質架橋モノマーが、ジアリルオキシ酢酸、若しくはそのナトリウム塩若しくはカリウム塩、トリアリルアミン、トリメチロールプロパントリアクリレート、エチレングリコールジメタクリレート、ジエチレングリコールジアクリレート、ジアリル尿素、又はメチレンビス（アクリルアミド）から選ばれる、請求項７に記載の逆ラテックス。
【請求項９】
前記架橋カチオン性高分子電解質が、１００ｍｏｌ％に対して、
ａ）７０％以上かつ９０％以下のモル比の、Ｎ，Ｎ，Ｎ−トリメチル−３−［（１−オキソ−２−プロペニル）アミノ］プロパンアンモニウムクロリドに由来するモノマー単位、
ｂ）１０％以上かつ３０％以下のモル比の、Ｎ−２−（ヒドロキシエチル）アクリルアミドに由来するモノマー単位、及び、
ｄ）０．０１％以上かつ０．２％以下のモル比のメチレンビス（アクリルアミド）、
の重合によって得られる、請求項１〜８のいずれか一項に記載の逆ラテックス。
【請求項１０】
「水中油型」乳化系を更に含むことを特徴とする、請求項１〜９のいずれか一項に記載の逆ラテックス。
【請求項１１】
請求項１〜１０のいずれか一項に記載の逆ラテックスを調製する方法であって、
ａ）モノマーと親水性である任意の添加剤とを含む水溶液を、モノマーと親油性である任意の添加剤とを含む油相中に前記油中水型乳化系の存在下で乳化する工程と、
ｂ）工程ａ）の終了時に形成されたエマルションに、フリーラジカル開始剤及び任意で共開始剤を投入することによって重合反応を開始するとともに進行させて、前記逆ラテックスを得る、開始するとともに進行させる工程と、
を含む、方法。
【請求項１２】
ｃ）水中油型乳化系を、工程ｂ）の終了時に形成された逆ラテックスに添加して、自己反転性逆ラテックスを得る、添加する工程を更に含む、請求項１１に記載の方法。
【請求項１３】
必要に応じて工程ｃ）を実行する前に、ｂ１）工程ｂ）によって得られる逆ラテックスを濃縮して、濃縮逆ラテックスを得る、濃縮する工程を更に含む、請求項１１又は１２に記載の方法。
【請求項１４】
ｃ１）工程ｃ）によって得られる自己反転性逆ラテックスを濃縮して、濃縮自己反転性逆ラテックスを得る、濃縮する工程を更に含む、請求項１３に記載の方法。
【請求項１５】
ｄ）工程ｂ）によって得られる逆ラテックス、工程ｂ１）によって得られる濃縮逆ラテックス、工程ｃ）によって得られる自己反転性逆ラテックス、又は工程ｃ１）によって得られる濃縮自己反転性逆ラテックスを噴霧乾燥させて、前記カチオン性高分子電解質の粉末を形成する、噴霧乾燥させる工程を更に含む、請求項１１〜１４のいずれか一項に記載の方法。
【請求項１６】
化粧品組成物又は医薬品組成物、より具体的にはヘアケア及び／又はヘアコンディショニング目的の組成物における増粘剤及び／又は乳化剤としての、請求項１〜１０のいずれか一項に記載の逆ラテックス、又は請求項１５に記載の方法を用いて得られる粉末の使用。
【請求項１７】
乳化剤及び／又は増粘剤として、有効量の請求項１〜１０のいずれか一項に記載の逆ラテックス、又は請求項１５に記載の方法を用いて得られる粉末を含有することを特徴とする化粧品組成物又は医薬品組成物。
【発明の詳細な説明】
【技術分野】
【０００１】
本発明の主題は、新規の高分子カチオン性増粘剤、それを調製する方法、更には増粘剤及び／又は乳化剤としてのその使用である。
【背景技術】
【０００２】
水相の増粘は一般に、合成であるか又は天然起源であるかを問わず、あらゆるタイプの親水性ポリマーを水相に加えることによって行われる。天然起源のポリマーの中でも、キサンタンガム又はグアーガムが極めて広範に使用されている。しかしながら、それらは天然産物の従来の欠点、すなわち品質及び価格の変動という欠点を有する。
【０００３】
親水性の合成増粘剤の中でも、粉末又は自己反転性逆ラテックスの形態のポリマーが最も広範に使用されている。それらは広いｐＨ範囲で使用され、多くの場合、ヒトによる耐容性は良好である。かかる組成物は例えば特許文献１、特許文献２、特許文献３若しくは特許文献４、又は特許文献５に記載されている。
【０００４】
これらのポリマーはアニオン性であり、したがって基本的に、化粧品産業、皮膚医薬（dermopharmaceutical）産業又は医薬産業の局所配合物に見ることができる従来の様々な構成要素を含有する水相の増粘を目的とする。特に、油、乳化剤とも呼ばれる界面活性剤（非イオン性又はアニオン性）、無機塩及び弱酸が挙げられる。
【０００５】
特にヘアケア目的の或る特定の配合物は、カチオン性界面活性剤及び／又はカチオン性コンディショニングポリマーを含有する。この特定の場合では、アニオン性ポリマーで構成される増粘剤は、ポリマーの沈殿を引き起こす正電荷と負電荷との間の静電相互作用のために推奨されず、特許文献６及び特許文献７に記載のようなカチオン性増粘ポリマーが好ましくは使用される。
【０００６】
後者は酸性媒体中では満足に振る舞い、カチオン性界面活性剤と相溶性であるが、それにもかかわらず、ｐＨが７．５を超える配合物では増粘能を喪失し、その水相の粘度の低下は数週間後に観察される。
【先行技術文献】
【特許文献】
【０００７】
【特許文献１】米国特許第５００４５９８号
【特許文献２】米国特許第６１９７２８７号
【特許文献３】米国特許第６１３６３０５号
【特許文献４】米国特許第６３４６２３９号
【特許文献５】欧州特許第０５０３８５３号
【特許文献６】米国特許第４８０６３４５号
【特許文献７】米国特許第５１００６６０号
【発明の概要】
【発明が解決しようとする課題】
【０００８】
したがって、本発明者らは、１０までの範囲のアルカリ性ｐＨで作用する、すなわち粘度が数ヶ月間安定した状態を保つ配合を得ることを可能にするカチオン性の電解質耐性増粘ポリマーを開発しようと試みた。
【課題を解決するための手段】
【０００９】
第１の態様によれば、本発明の主題は、逆ラテックスであって、油相と、水相と、少なくとも１つの油中水型乳化系と、１００ｍｏｌ％に対して、
ａ）４０％超かつ９９％以下のモル比の、少なくとも１つのカチオン性モノマーに由来するモノマー単位、
ｂ）１％以上かつ６０％未満のモル比の、Ｎ−（２−ヒドロキシエチル）アクリルアミドに由来するモノマー単位、及び、
ｃ）任意で、０％超かつ３０％未満のモル比の、上記Ｎ−（２−ヒドロキシエチル）アクリルアミドとは異なる少なくとも１つの中性モノマーに由来するモノマー単位（なお、このモル比は、Ｎ−（２−ヒドロキシエチル）アクリルアミドに由来するモノマー単位のモル比より真に小さい）、及び、
ｄ）任意で、０％超かつ１％以下のモル比の、ジエチレン系又はポリエチレン系架橋モノマー、
の重合によって得られる線状、分岐又は架橋カチオン性高分子電解質とを含む、逆ラテックスである。
【００１０】
本発明に関して「逆ラテックス」という用語は、上に規定した高分子電解質の油中水型エマルションを表す。
【００１１】
「分岐高分子電解質」という用語は、ペンダント鎖を有し、水に溶解すると、低い速度勾配で非常に高い粘度をもたらす高度に絡み合った状態が得られる非線状高分子電解質を表す。
【００１２】
「架橋高分子電解質」という用語は、不水溶性であるが水膨潤性であり、したがって化学ゲルが得られる三次元網目構造の形態である非線状高分子電解質を表す。
【００１３】
上に規定した逆ラテックスにおいて、「油中水型」（Ｗ／Ｏ）乳化系は、単一の界面活性剤又は界面活性剤の混合物からなる（ただし、上記界面活性剤又は上記混合物は、油中水型エマルションを誘導するのに十分に低いＨＬＢ価を有するものとする）。例えば、ソルビタンエステル、例えばSEPPIC社によってＭｏｎｔａｎｅ（商標）８０という名称で販売されるソルビタンオレエート、SEPPIC社によってＭｏｎｔａｎｅ（商標）７０という名称で販売されるソルビタンイソステアレート、又はSEPPIC社によってＭｏｎｔａｎｅ（商標）８３という名称で販売されるソルビタンセスキオレエートが挙げられる。或る特定のポリエトキシル化ソルビタンエステル、例えばSEPPIC社によってＭｏｎｔａｎｏｘ（商標）８１という名称で販売されるペンタエトキシル化ソルビタンモノオレエート、又はSEPPIC社によってＭｏｎｔａｎｏｘ（商標）７１という名称で販売されるペンタエトキシル化ソルビタンイソステアレートも挙げられる。ポリ（イソブテニル）コハク酸又はその無水物の縮合によって生成される１０００〜３０００の分子量を有するポリエステル、例えばUniqema社によって販売されるＨｙｐｅｒｍｅｒ（商標）２２９６、又は最後に、２５００〜３５００の分子量を有するブロックコポリマー、例えばUniqema社によって販売されるＨｙｐｅｒｍｅｒ（商標）Ｂ２４６、又はSEPPIC社によって販売されるＳｉｍａｌｉｎｅ（商標）ＩＥ  ２００も挙げられる。
【００１４】
規定の逆ラテックスは概して、０．５重量％〜１０重量％の上記「油中水型」乳化系を含む。
【００１５】
逆ラテックスは概して、１重量％〜５０重量％の水を含む。
【００１６】
上に記載の自己反転性逆ラテックスの油相は、
パラフィン系、イソパラフィン系若しくはシクロパラフィン系の飽和炭化水素を含有し、
常温で０．７〜０．９の密度及び１８０℃を超える沸点を有する鉱油若しくは鉱油の混合物、例えばExxonによって販売されるＩｓｏｐａｒ（商標）Ｍ若しくはＩｓｏｐａｒ（商標）Ｌ、Ｅｘｘｏｌ（商標）Ｄ  １００  Ｓ、若しくはＦＤＡ  ２１  ＣＦＲ  １７２．８７８及びＦＲ  １７８．３６２０（ａ）の規定に準拠する白色鉱油、例えば同様にExxonによって販売されるＭａｒｃｏｌ（商標）５２若しくはＭａｒｃｏｌ（商標）８２、又は、
合成油若しくは合成油の混合物、例えば水添ポリイソブテン、特に仏国内でEts B. Hossow and Cie社によってＰａｒｌｅａｍ−Ｐｏｌｙｓｙｎｌａｎｅ（商標）という名称で販売され、Michel and Irene Ash; Thesaurus of Chemical products, Chemise Publicite Cos, Ince. 1986 Volume I, page 211（ＩＳＢＮ  ０７１３１３６０３０）に引用されている水添ポリイソブテン；ポリデセン；Chemical AbstractsにＲＮ番号＝９３６８５−８０−４で特定されており、少なくとも９７％のＣ１６イソパラフィンを含有するＣ１２イソパラフィン、Ｃ１６イソパラフィン及びＣ２０イソパラフィンの混合物であり、その中でも主要構成要素は２，２，４，４，６，８，８−ヘプタメチルノナン（ＲＮ＝４３９０−０４−９）であり、仏国内でBayer社によって販売されるイソヘキサデカン；仏国内でBayer社によって販売されるイソドデカン、又は、
植物油若しくは植物油の混合物、例えばChemical AbstractsにＲＮ番号＝１１１−０１−３で特定されており、８０重量％を超える２，６，１０，１５，１９，２３−ヘキサメチルテトラコサンを含有する炭化水素の混合物であるスクアラン、若しくはエステル系若しくはトリグリセリド系の植物油、例えば（カプリル／カプリン酸）ヤシアルキル（coco-caprylate/caprate）、例えばDubois社によって提供されるＤＵＢ（商標）８１０Ｃ、さもなければホホバ油、又は、
これらの各種油の幾つかの混合物、
から構成される。
【００１７】
規定の逆ラテックスは概して、１００重量％に対して５重量％〜５０重量％の油を含む。
【００１８】
「カチオン性モノマー」という用語は、主に第四級アンモニウム官能基と少なくとも１つの不飽和炭素−炭素結合とを含む脂肪族モノマーを表す。かかるモノマーは、特に塩の形態で一般に利用可能である。
【００１９】
「塩」という用語は、より具体的には第四級アンモニウム官能基を含む上記モノマーのハロゲン化物、例えば臭化物、塩化物又はヨウ化物を表す。
【００２０】
特定の一態様によると、本発明の主題は、上記カチオン性高分子電解質の構成要素である、少なくとも１つのカチオン性モノマーに由来するモノマー単位が、以下の第四級アンモニウム塩：
Ｎ，Ｎ，Ｎ−トリメチル−３−［（２−メチル−１−オキソ−２−プロペニル）−アミノ］プロパンアンモニウム塩、
Ｎ，Ｎ，Ｎ−トリメチル−３−［（１−オキソ−２−プロペニル）アミノ］プロパンアンモニウム塩、又は、
ジアリルジメチルアンモニウム塩、より具体的には、
Ｎ，Ｎ，Ｎ−トリメチル−３−［（２−メチル−１−オキソ−２−プロペニル）アミノ］プロパンアンモニウムクロリド、
Ｎ，Ｎ，Ｎ−トリメチル−３−［（１−オキソ−２−プロペニル）アミノ］プロパンアンモニウムクロリド、又は、
ジアリルジメチルアンモニウムクロリド、
に由来する、規定の逆ラテックスである。
【００２１】
「上記Ｎ−（２−ヒドロキシエチル）アクリルアミドとは異なる中性モノマー」という表現は、強酸又は弱酸の官能基も、いかなるプラスに帯電した基も含まないモノマーを表す。これらは、より具体的にはビニルピロリドン、ジアセトンアクリルアミド、Ｎ，Ｎ−ジメチルアクリルアミド、又はＮ−［２−ヒドロキシ−１，１−ビス−（ヒドロキシメチル）エチル］プロペンアミド（又はトリス（ヒドロキシメチル）アクリルアミドメタン若しくはＮ−［トリス（ヒドロキシメチル）メチル］アクリルアミド、ＴＨＡＭとしても知られる）から選ばれる。
【００２２】
本発明の特定の一態様によると、上に規定したカチオン性高分子電解質は、カチオン性モノマー（複数の場合もあり）に由来するモノマー単位のモル比が９５％以下、より具体的には９０％以下であることを特徴とする。
【００２３】
別の特定の態様によると、上に規定したカチオン性高分子電解質は、カチオン性モノマー（複数の場合もあり）に由来するモノマー単位のモル比が５０％以上、より具体的には６０％以上、更により具体的には７０％以上であることを特徴とする。
【００２４】
より具体的には、本発明の主題は、カチオン性モノマー（複数の場合もあり）に由来するモノマー単位のモル比が５０％以上かつ９５％以下である、規定の逆ラテックスである。
【００２５】
別の特定の態様によると、本発明の主題は、上記カチオン性高分子電解質の構成要素である、上記少なくとも１つのカチオン性モノマーに由来するモノマー単位が、Ｎ，Ｎ，Ｎ−トリメチル−３−［（１−オキソ−２−プロペニル）アミノ］プロパンアンモニウム塩、特にＮ，Ｎ，Ｎ−トリメチル−３−［（１−オキソ−２−プロペニル）アミノ］プロパンアンモニウムクロリド（ＡＰＴＡＣ（商標））のみに由来する、規定の逆ラテックスである。
【００２６】
本発明の別の特定の態様によると、規定の高分子電解質は、Ｎ−（２−ヒドロキシエチル）アクリルアミドに由来するモノマー単位のモル比が５％以上、より好ましくは１０％以上であることを特徴とする。
【００２７】
別の特定の態様によると、上に規定したカチオン性高分子電解質は、Ｎ−（２−ヒドロキシエチル）アクリルアミドに由来するモノマー単位のモル比が５０％以下、より具体的には４０％以下、更により具体的には３０％以下であることを特徴とする。
【００２８】
より具体的には、本発明の主題は、Ｎ−（２−ヒドロキシエチル）アクリルアミドに由来するモノマー単位のモル比が５％以上かつ５０％以下である、規定の逆ラテックスである。
【００２９】
本発明の主題は、より具体的には線状、分岐又は架橋カチオン性高分子電解質が、１００ｍｏｌ％に対して、
ａ）６０％以上かつ９０％以下のモル比の、少なくとも１つのカチオン性モノマーに由来するモノマー単位、
ｂ）１０％以上かつ４０％以下のモル比のＮ−（２−ヒドロキシエチル）アクリルアミドに由来するモノマー単位、及び、
ｃ）任意で、０％超かつ２０％以下のモル比の、上記Ｎ−（２−ヒドロキシエチル）アクリルアミドとは異なる少なくとも１つの中性モノマーに由来するモノマー単位（なお、このモル比は、Ｎ−（２−ヒドロキシエチル）アクリルアミドに由来するモノマー単位のモル比より真に小さい）、及び、
ｄ）任意で、０．００５％以上かつ１％以下のモル比の、ジエチレン系又はポリエチレ
ン系架橋モノマー、
の重合によって得られる、規定の逆ラテックスである。
【００３０】
本発明の別の特定の態様によると、その主題は、上記カチオン性高分子電解質が架橋されている、規定の逆ラテックスである。
【００３１】
後者の場合、本発明の主題は、より具体的には、上記ジエチレン系又はポリエチレン系又は高分子電解質架橋モノマーが、ジアリルオキシ酢酸、若しくはそのナトリウム塩若しくはカリウム塩、トリアリルアミン、トリメチロールプロパントリアクリレート、エチレングリコールジメタクリレート、ジエチレングリコールジアクリレート、ジアリル尿素、又はメチレンビス（アクリルアミド）から選ばれ、最も具体的には、上記ジエチレン系又はポリエチレン系又は高分子電解質架橋モノマーがメチレンビス（アクリルアミド）である、上に規定した逆ラテックスである。
【００３２】
別の特定の態様によると、上記ジエチレン系又はポリエチレン系又は高分子電解質架橋モノマーは、使用されるモノマーに対して表される、０．０５％超、より具体的には０．０１％〜０．２％、最も具体的には０．０１％〜０．１％というモル比で使用される。
【００３３】
別の最も具体的な態様によると、本発明の主題は、架橋カチオン性高分子電解質が、１００ｍｏｌ％に対して、
ａ）７０％以上かつ９０％以下のモル比の、Ｎ，Ｎ，Ｎ−トリメチル−３−［（１−オキソ−２−プロペニル）アミノ］プロパンアンモニウムクロリドに由来するモノマー単位、
ｂ）１０％以上かつ３０％以下のモル比の、Ｎ−（２−ヒドロキシエチル）アクリルアミドに由来するモノマー単位、及び、
ｄ）０．０１％以上かつ０．２％以下のモル比のメチレンビス（アクリルアミド）、
の重合によって得られる、規定の逆ラテックスである。
【００３４】
本発明の別の特定の態様によると、規定の逆ラテックスは「水中油型」乳化系も含むことを特徴とする。
【００３５】
上記「水中油型（Ｏ／Ｗ）乳化系」は、単一の界面活性剤又は界面活性剤の混合物からなる（ただし、上記界面活性剤又は上記混合物は、水中油型エマルションを誘導するのに十分に高いＨＬＢ価を有するものとする）。例えば、
エトキシル化ソルビタンエステル、例えばSEPPIC社によってＭｏｎｔａｎｏｘ（商標）８０という名称で販売される、２０ｍｏｌのエチレンオキシドでポリエトキシル化されたソルビタンオレエート、若しくはSEPPIC社によってＭｏｎｔａｎｏｘ（商標）２０という名称で販売される、２０ｍｏｌのエチレンオキシドでポリエトキシル化されたソルビタンラウレート、
Ｓｉｍｕｌｓｏｌ（商標）ＯＬ５０という名称で販売される、４０ｍｏｌのエチレンオキシドでポリエトキシル化されたヒマシ油、
SEPPIC社によってＳｉｍｕｌｓｏｌ（商標）ＯＣ  ７１０という名称で販売されるデカエトキシル化オレオデシル（oleodecyl）アルコール、
Ｓｉｍｕｌｓｏｌ（商標）Ｐ７という名称で販売されるヘプタエトキシル化ラウリルアルコール、又は、
SEPPIC社によってＳｉｍａｌｉｎｅ  ＩＥ  ４００という名称で販売されるポリエトキシル化ソルビタンヘキサオレエート、
が挙げられる。
【００３６】
規定の逆ラテックスが「水中油型」乳化系も含む場合、規定の逆ラテックスは、概して
１重量％〜１５重量％の上記「水中油型」乳化系を含む自己反転性である。
【００３７】
本発明による逆ラテックスは、錯化剤又は連鎖制限剤（chain limiters）等の各種添加剤も含有し得る。
【００３８】
本発明の別の特定の態様によると、その主題は、１００重量％に対して１５重量％〜６０重量％、好ましくは２５重量％〜４０重量％の上記カチオン性高分子電解質を含むことを特徴とする、規定の逆ラテックスである。
【００３９】
本発明の別の特定の態様によると、その主題は、１００重量％に対して６０重量％超〜最大８０重量％、好ましくは６０重量％超〜７０重量％の上記カチオン性高分子電解質を含むことを特徴とする、規定の逆ラテックスである。
【００４０】
本発明の別の態様によると、その主題は、規定の逆ラテックスを調製する方法であって、
ａ）モノマーと親水性である任意の添加剤とを含む水溶液を、モノマーと親油性である任意の添加剤とを含む油相中に上記油中水型乳化系の存在下で乳化する工程と、
ｂ）工程ａ）の終了時に形成されたエマルションに、フリーラジカル開始剤及び任意で共開始剤を投入することによって重合反応を開始するとともに進行させて（left to take
place）、上記逆ラテックスを得る、開始するとともに進行させる工程と、
を含む、方法である。
【００４１】
規定した方法の工程ｂ）において、重合反応は概して、所望に応じて重合共開始剤、例えばアゾビス（イソブチロニトリル）、ジラウリルペルオキシド、又は過硫酸ナトリウムとともに、亜硫酸水素（ＨＳＯ３）イオンを生成する酸化還元対、例えばクメンヒドロペルオキシド／メタ重亜硫酸ナトリウム（Ｎａ２Ｓ２Ｏ５）対、又はｔｅｒｔ−ブチルヒドロペルオキシド／メタ重亜硫酸ナトリウム対によって１０℃以下の温度で開始させ、その後５０℃以上の温度まで準断熱的に（quasiadiabatically）、又は温度を制御して行う。
【００４２】
特定の一態様によると、ｃ）上記水中油型乳化系を、工程ｂ）の終了時に形成された逆ラテックスに添加して、自己反転性逆ラテックスを得る、添加する工程を更に含む。
【００４３】
上に規定した方法の工程ｃ）において、上記水中油型乳化系の添加は概して５０℃以下の温度で行う。
【００４４】
別の特定の態様によると、必要に応じて工程ｃ）を実行する前に、ｂ１）工程ｂ）によって得られる逆ラテックスを濃縮して、濃縮逆ラテックスを得る、濃縮する工程を更に含む。
【００４５】
別の特定の態様によると、ｃ１）工程ｃ）によって得られる自己反転性逆ラテックスを濃縮して、濃縮自己反転性逆ラテックスを得る、濃縮する工程を更に含む。
【００４６】
上に規定した方法の工程ｂ１）又は工程ｃ１）において、媒体の濃縮は概して、本発明の主題である逆ラテックスにおけるカチオン性高分子電解質の所望の含量が達成されるまで蒸留することによって行う。
【００４７】
特定の一態様によると、ｄ）工程ｂ）によって得られる逆ラテックス、工程ｂ１）によって得られる濃縮逆ラテックス、工程ｃ）によって得られる自己反転性逆ラテックス、又は工程ｃ１）によって得られる濃縮自己反転性逆ラテックスを噴霧乾燥させて、上記カチオン性高分子電解質の粉末を形成する、噴霧乾燥させる工程を更に含む。
【００４８】
本発明の主題は、規定の方法を用いて得られることを特徴とする線状、分岐又は架橋カチオン性高分子電解質の粉末でもある。
【００４９】
本発明の主題である高分子電解質、更にはそれを含む逆ラテックス及び自己反転性逆ラテックスは、そのカチオン性によって、ヘアケア及び／又はヘアコンディショニング目的の化粧品組成物又は医薬品組成物における増粘剤及び／又は乳化剤として有利に使用される。
【００５０】
したがって、別の態様によると、本発明の主題は、化粧品組成物又は医薬品組成物、より具体的にはヘアケア及び／又はヘアコンディショニング目的の化粧品組成物又は医薬品組成物用の増粘剤及び／又は乳化剤としての、規定の逆ラテックス又は規定の方法を用いて得られる粉末の使用である。
【００５１】
本発明の主題である、粉末又は任意で自己反転性の逆ラテックスは、化粧品配合物（formulae）又は医薬品配合物、例えばムース、ジェル、ローション、スプレー、シャンプー、コンディショナー、ハンドローション及びボディーローション、並びに日焼け止め、より具体的にはケア製品に配合することができる。
【００５２】
毛髪のトリートメント又は手入れ（upkeep）の場合、かかる化粧品組成物又は医薬品組成物は通常、シャンプーの場合、エマルション、マイクロエマルションの形態、特にコンディショナーの場合、揮発性エマルションの形態である。
【００５３】
最後の態様によると、本発明の主題は、乳化剤及び／又は増粘剤として、有効量の規定の逆ラテックス又は規定の方法を用いて得られる粉末を含有することを特徴とする化粧品組成物又は医薬品組成物である。
【００５４】
「有効量」という用語は、およそ１重量％〜およそ１０重量％の規定の逆ラテックス、及びおよそ０．２重量％〜およそ５重量％の規定の粉末という重量比を意味するよう意図される。
【発明を実施するための形態】
【実施例】
【００５５】
以下の実施例は本発明を説明するが、限定するものではない。
【００５６】
Ａ）−逆ラテックス又は本発明による粉末の調製例
実施例１：粉末の調製（粉末Ｐ１）
粉末の調製
ａ）以下のものを順に混合することによって水相を調製する：
２５．３ｇのＮ−（２−ヒドロキシエチル）アクリルアミド、
７５％のＮ，Ｎ，Ｎ−トリメチル−３−［（１−オキソ−２−プロペニル）アミノ］プロパンアンモニウムクロリド（ＡＰＴＡＣ）を含有する２４２．４ｇの市販溶液、
０．０６６ｇのメチレンビス（アクリルアミド）、
４０％のトリアミン五酢酸のナトリウム塩を含有する０．２７ｇの市販溶液、
ｐＨを５にする、およそ２．１ｇの標準塩酸水溶液、及び、
水相の総重量を３２５．５ｇにする脱イオン水。
【００５７】
ｂ）以下のものを順に混合することによって油相を調製する：
１２９．６ｇのＩｓｏｐａｒ（商標）Ｍ（Ｃ１３〜Ｃ１４イソパラフィン）、
１２．５ｇのＭｏｎｔａｎｅ（商標）７０（ソルビタンイソステアレート）、
０．０４ｇのアゾビス（イソブチロニトリル）。
【００５８】
ｃ）次いで、この２つの相を、Ｕｌｔｒａ  Ｔｕｒｒａｘ（商標）タービンを用いて密に（intimately）混合し、油中水型エマルションを形成する。
【００５９】
ｄ）得られるエマルションをおよそ１０℃に冷却し、およそ６０分間窒素スパージング下に置く。次いで、重合を、
８ｇの構成（constituted）クメンヒドロペルオキシド溶液（水２０ｍｌ中０．０４３ｇ）、及び、
０．０４２ｇのメタ重亜硫酸ナトリウムを含有する２０ｇの水溶液、
からなる酸化／還元対をそれに加えることによって開始させる。
【００６０】
ｅ）反応の終了時に、残留モノマーの分解に向けた従来の工程によって逆ラテックスが得られ、これを噴霧乾燥させる。これにより、１０重量％の水を含む期待されるカチオン性高分子電解質粉末が得られる。
【００６１】
粉末の粘度分析
１．５重量％の得られる粉末を含む水分散液の粘度：１３９０００ｍＰａ・ｓ（Ｂｒｏｏｋｆｉｅｌｄ  ＲＶＴ、スピンドル６、回転速度５）。
【００６２】
１．５重量％の得られる粉末と、０．１重量％の塩化ナトリウムとを含む水分散液の粘度：１５５４０ｍＰａ・ｓ（Ｂｒｏｏｋｆｉｅｌｄ  ＲＶＴ、スピンドル３、回転速度５）。
【００６３】
この値がｐＨ６．８又はｐＨ１０で同一であり、常温で６ヶ月の保管後も一定のままであることが指摘される。
【００６４】
実施例２：本発明による自己反転性逆ラテックスの調製（逆ラテックスＬ１）
自己反転性逆ラテックスの調製
ａ）以下のものを順に混合することによって水相を調製する：
５０．６ｇのＮ−（２−ヒドロキシエチル）アクリルアミド、
７５％のＮ，Ｎ，Ｎ−トリメチル−３−［（１−オキソ−２−プロペニル）アミノ］プロパンアンモニウムクロリド（ＡＰＴＡＣ）を含有する４８５ｇの市販溶液、
０．１３ｇのメチレンビス（アクリルアミド）、
４０％のトリアミン五酢酸のナトリウム塩を含有する０．４５ｇの市販溶液、
ｐＨを５にする、およそ４ｇの１Ｎ  標準塩酸水溶液、及び、
水相の総重量を６５１ｇにする脱イオン水。
【００６５】
ｂ）以下のものを順に混合することによって油相を調製する：
２５９ｇのＩｓｏｐａｒ（商標）Ｍ、
２５ｇのＭｏｎｔａｎｅ（商標）７０（ソルビタンイソステアレート）、
０．０８ｇのアゾビス（イソブチロニトリル）。
【００６６】
ｃ）次いで、この２つの相を、Ｕｌｔｒａ  Ｔｕｒｒａｘ（商標）タービンを用いて密に混合し、油中水型エマルションを形成する。
【００６７】
ｄ）次いで、混合物全体をおよそ１０℃に冷却し、およそ６０分間窒素スパージング下に置く。次いで、重合を、
８ｇの構成クメンヒドロペルオキシド溶液（水２０ｃｍ３中０．０４３ｇ）、及び、
０．０４２ｇのメタ重亜硫酸ナトリウムを含有する２０ｇの水溶液、
からなる酸化／還元対をそれに加えることによって開始させる。
【００６８】
ｅ）反応の終了時に、残留モノマーの分解に向けた従来の工程によって逆ラテックスが得られる。次いで、５０ｇのＳｉｍｕｌｓｏｌ（商標）Ｐ７（ヘプタエトキシル化ラウリルアルコール）を３５℃で撹拌しながらそれに添加し、自己反転性逆ラテックス（以下の実施例では逆ラテックスＬ１と称する）を得る。
【００６９】
自己反転性逆ラテックスの粘度分析
ｐＨ＝６の水中３％での自己反転性逆ラテックスの粘度：
１２２６００ｍＰａ・ｓ（Ｂｒｏｏｋｆｉｅｌｄ  ＲＶＴ、スピンドル６；回転速度５）。
０．１％の塩化ナトリウムを含有する水中３％での自己反転性逆ラテックスの粘度：
５７４０ｍＰａ・ｓ（Ｂｒｏｏｋｆｉｅｌｄ  ＲＶＴ、スピンドル３、回転速度５）。
【００７０】
同等であるが、Ｎ−（２−ヒドロキシエチル）アクリルアミドに由来するモノマー単位を有しない自己反転性逆ラテックスの場合とは対照的に、この値がｐＨ＝６、ｐＨ＝８又はｐＨ＝１０で同一であり、常温で６ヶ月の保管後も一定のままであることが指摘される。
【００７１】
Ｂ）−配合物の例
実施例３：抗ストレスヘアケア製品
配合
Ａ相
水：                                                            １００％まで適量キサンタンガム                                                  ０．５０％
Ｂ相
Ｓｅｐｉｃａｐ（商標）ＭＰ：                                    ３．００％
Ｃ相
逆ラテックスＬ１                                                ４．００％
Ｄ相
ブチレングリコール：                                            ５．００％
Ｌａｎｏｌ（商標）９９：                                        ５．００％
Ｓｅｐｉｃｉｄｅ（商標）ＨＢ：                                  ０．３０％
Ｓｅｐｉｃｉｄｅ（商標）ＣＩ：                                  ０．２０％
香料                                                            ０．２０％
手順
キサンタンガムを解膠機（deflocculator）で水に分散させる。続けてＳｅｐｉｃａｐ（商標）ＭＰを添加した後に実施例１の逆ラテックスを添加する。これを分散させた後、Ｄ相の成分を添加する。
【００７２】
実施例４：ストレスを受け、脆くなった毛髪用の再生クリームマスク
配合
Ａ相
Ｍｏｎｔａｎｏｖ（商標）８２：                                  ３．００％
Ｌａｎｏｌ（商標）Ｐ：                                          ６．００％
Ａｍｏｎｙｌ（商標）ＤＭ：                                      １．００％
イソノナン酸イソステアリル：                                    ５．００％
粉末Ｐ１：                                                      ２．５０％
Ｂ相
水：                                                            １００％まで適量
Ｃ相
Ｓｅｐｉｃｉｄｅ（商標）ＭＰ：                                  ３．００％
Ｓｅｐｉｃｉｄｅ（商標）ＨＢ：                                  ０．３０％
Ｓｅｐｉｃｉｄｅ（商標）ＣＩ：                                  ０．２０％
手順
７５℃でＡ相を融解する。Ｂ相を７５℃に熱する。ＡをＢに乳化させる。約４０℃でＣ相の構成要素を投入する。
【００７３】
実施例５：洗顔ジェル（Purifying facial gel）
配合
Ａ相
Ｍｏｎｔａｌｉｎｅ（商標）Ｃ４０：                              ７．００％
Ｐｅａｒｌｅｓｃｅｎｔ  ｂａｓｅ  ２０７８：                    ５．００％
逆ラテックスＬ１：                                              ２．００％
Ｂ相
水：                                                            １００％まで適量
【００７４】
実施例６：カラーリングシャンプー
配合
Ａ相
Ｍｏｎｔａｌｉｎｅ（商標）Ｃ４０：                              １５．００％
ココアンホ酢酸二ナトリウム：                                    ５．００％
塩化セトリモニウム：                                            １．００％
Ｓｅｐｉｐｅｒｌ（商標）Ｎ：                                    ３．００％
逆ラテックスＬ１：                                              ３．００％
Ｂ相
着色料                                                          適量
水                                                              １００％まで適量
【００７５】
実施例７：アルカリ性ｐＨの液体エマルション
Ｍａｒｃｏｌ（商標）８２：                                      ５．０％
水酸化ナトリウム：                                              １０．０％
水：                                                            １００％まで適量粉末Ｐ１：                                                      １．５％
【００７６】
実施例８：ストレスを受け、脆くなった毛髪用の洗い流す（rinse-off）再生クリームマスク
Ｋｅｔｒｏｌ（商標）Ｔ：                                        ０．５％
Ｐｅｃｏｓｉｌ（商標）ＳＰＰ５０：                              ０．７５％
Ｎ−ココイルアミノ酸：                                          ０．７０％
ブチレングリコール：                                            ３．０％
逆ラテックスＬ１：                                              ３．０％
Ｍｏｎｔａｎｏｖ（商標）８２：                                  ３．０％
ホホバ油：                                                      １．０％
Ｌａｎｏｌ（商標）Ｐ：                                          ６．０％
Ａｍｏｎｙｌ（商標）ＤＭ：                                      １．０％
Ｌａｎｏｌ（商標）９９：                                        ５．０％
Ｓｅｐｉｃｉｄｅ（商標）ＨＢ：                                  ０．３％
Ｓｅｐｉｃｉｄｅ（商標）ＣＩ：                                  ０．２％
香料：                                                          ０．２％
水：                                                            １００％まで適量
【００７７】
実施例９：ヘアローション
ブチレングリコール：                                            ３．０％
逆ラテックスＬ１：                                              ３．０％
Ｓｉｍｕｌｓｏｌ（商標）１２９３：                              ３．０％
乳酸：                                                          ｐＨ＝６まで適量Ｓｅｐｉｃｉｄｅ（商標）ＨＢ：                                  ０．２％
Ｓｅｐｉｃｉｄｅ（商標）ＣＩ：                                  ０．３％
香料：                                                          ０．３％
水：                                                            １００％まで適量
【００７８】
実施例１０：プロテクティングリラクシングシャンプー
Ａｍｏｎｙｌ（商標）６７５ＳＢ：                                ５．０％
２８％ラウロイルエーテル硫酸ナトリウム：                        ３５．０％
粉末Ｐ１：                                                      ３．０％
Ｓｅｐｉｃｉｄｅ（商標）ＨＢ：                                  ０．５％
Ｓｅｐｉｃｉｄｅ（商標）ＣＩ：                                  ０．３％
水酸化ナトリウム：                                              ｐＨ＝７．２まで適量
香料：                                                          ０．３％
色素（ＦＤＣ青色１号／黄色５号）：                              適量
水：                                                            １００％まで適量
【００７９】
実施例１１：リーブオンプロテクター；抗ストレスヘアケア製品
Ｋｅｔｒｏｌ（商標）Ｔ：                                        ０．５％
ココイルアミノ酸混合物：                                        ３．０％
ブチレングリコール：                                            ５．０％
ＤＣ１５０１：                                                  ５．０％
逆ラテックスＬ１：                                              ４．０％
Ｓｅｐｉｃｉｄｅ（商標）ＨＢ：                                  ０．５％
Ｓｅｐｉｃｉｄｅ（商標）ＣＩ：                                  ０．３％
香料：                                                          ０．３％
水：                                                            １００％まで適量
【００８０】
実施例において使用される市販製品の定義は以下のとおりである：
Ｍｏｎｔａｌｉｎｅ（商標）Ｃ４０：SEPPICによって販売される（コカンモニウムカルバモイル（cocamoniumcarbamoyl）クロリド）。
Ｓｅｐｉｐｅｒｌ（商標）Ｎ：SEPPICによって販売される（ココイルグルコシド／ココイルアルコール）。
Ａｍｏｎｙｌ（商標）ＤＭ：SEPPICによって販売される（クオタニウム８２）。
Ｓｅｐｉｃａｐ（商標）ＭＰ：SEPPICによって販売される（ナトリウムココイルアミノ酸／カリウムジメチコンコポリオールパンテニルホスフェート）。
【００８１】
Ｓｉｍｕｌｓｏｌ（商標）１２９３は、SEPPIC社によって販売される、４０に等しいエトキシル化度を有するエトキシル化水添ヒマシ油である。
【００８２】
Ｋｅｔｒｏｌ（商標）Ｔは、Kelco社によって販売されるキサンタンガムである。
【００８３】
Ｌａｎｏｌ（商標）９９は、SEPPIC社によって販売されるイソノニルイソノナノエート
である。
【００８４】
ＤＣ１５０１は、Dow Chemical社によって販売されるシクロペンタシロキサン及びジメチコノールの混合物である。
【００８５】
Ｍｏｎｔａｎｏｖ（商標）８２は、セテアリルアルコール及びココイルグルコシドをベースとする乳化剤である。
【００８６】
イミダゾリジン尿素であるＳｅｐｉｃｉｄｅ（商標）ＣＩは、SEPPIC社によって販売される防腐剤である。
【００８７】
フェノキシエタノール、メチルパラベン、エチルパラベン、プロピルパラベン及びブチルパラベンの混合物であるＳｅｐｉｃｉｄｅ（商標）ＨＢは、SEPPIC社によって販売される防腐剤である。
【００８８】
Ｌａｎｏｌ（商標）Ｐは、SEPPIC社によって販売される、安定化効果を有する添加剤である。
【国際調査報告】
2013545852.tif 000002
2013545852.tif 000003
2013545852.tif 000004
2013545852.tif 000005